(57)【要約】【課題】ハウジングの強度を確保しつつ、弾性弁体が脱落しにくい医療用コネクタを実現できるようにする。【解決手段】医療用コネクタ１００は、ハウジング部１０１と、挿入口１１１を閉塞するようにハウジング部１０１に固定された、弾性弁体１０２とを備えている。筒状部１３１は、上端面の裏面に設けられ下方に突出した上側凸部１４１と、上側凸部１４１と相対する位置に設けられ、上方に突出した下側凸部１４２とを有している。弾性弁体１０２の環状凹部１２４は、上側凸部１４１と下側凸部１４２とに挟み込まれている。筒状部１３１の外径は、環状リブ部１２３の上端と、下側凸部１４２の上端との間において下側ほど大きく、環状リブ部１２３の外径は、環状リブ部１２３の上端と、下側凸部１４２の上端との間において下側ほど大きい。【選択図】図３
2017051566.tif 000002
【特許請求の範囲】
【請求項１】
鍔状部と、前記鍔状部から突出し、上端面にオスコネクタが挿入される挿入口が設けられた筒状部とを有するハウジング部と、
前記挿入口を閉塞するように前記ハウジング部に固定された、弾性弁体とを備え、
前記筒状部は、前記上端面の裏面に設けられ下方に突出した上側凸部と、前記上側凸部と相対する位置に設けられ、上方に突出した下側凸部とを有し、
前記弾性弁体は、前記挿入口から露出しスリットが設けられた中央部と、前記中央部よりも外側に設けられた環状リブ部と、前記中央部と前記環状リブ部との間に設けられ、前記上側凸部と前記下側凸部との間に挟み込まれたと環状凹部とを有し、
前記筒状部の外径は、前記環状リブ部の上端と、前記下側凸部の上端との間において下側ほど大きく、
前記環状リブ部の外径は、前記環状リブ部の上端と、前記下側凸部の上端との間において下側ほど大きい、医療用コネクタ。
【請求項２】
前記筒状部は、上側に向かって次第に外径が小さくなるように縮径した第１の部分と、前記第１の部分よりも上側に設けられ、前記第１の部分よりも縮径率が小さい第２の部分とを有し、
前記第１の部分と前記第２の部分との境界は、前記下側凸部の上端よりも上側に位置している、請求項１に記載の医療用コネクタ。
【請求項３】
前記第２の部分は、外径が一定である、請求項２に記載の医療用コネクタ。
【請求項４】
前記筒状部はねじ山を有し、前記ねじ山は筒状部の外側面に設けられている、請求項１〜３のいずれか１項に記載の医療用コネクタ。
【請求項５】
前記ねじ山が設けられた部分の長さは３．０ｍｍ以上である、請求項４に記載の医療用コネクタ。
【請求項６】
ＩＳＯ規格に準拠したカプラ付のルアーロックオスコネクタを前記挿入口に挿入した際に、前記カプラ付きのルアーロックオスコネクタの挿入距離を４．２ｍｍ以下に制限する、挿入距離制限部を有する、請求項１〜５のいずれか１項に記載の医療用コネクタ。
【請求項７】
前記挿入距離制限部は、前記カプラ付のルアーロックオスコネクタのカプラ端面と当接する前記鍔状部である、請求項６に記載の医療用コネクタ。
【請求項８】
鍔状部と、前記鍔状部から突出し、上端面にオスコネクタが挿入される挿入口が設けられた筒状部とを有するハウジング部と、
前記挿入口を閉塞するように前記ハウジング部に固定された、弾性弁体とを備え、
前記筒状部は、前記上端面の裏面に設けられ下方に突出した上側凸部と、前記上側凸部と相対する位置に設けられ、上方に突出した下側凸部とを有し、
前記弾性弁体は、前記挿入口から露出しスリットが設けられた中央部と、前記中央部よりも外側に設けられた環状リブ部と、前記中央部と前記環状リブ部との間に設けられ、前記上側凸部と前記下側凸部との間に挟み込まれたと環状凹部とを有し、
前記筒状部の外径は、前記環状リブ部の上端と、前記下側凸部の上端から所定距離下側の位置との間において下側ほど大きく、
前記環状リブ部の外径は、前記環状リブ部の上端と、前記下側凸部の上端から所定距離下側の位置との間において下側ほど大きく、
前記所定距離は、前記上側凸部の下端から前記下側凸部の上端までの距離である、医療用コネクタ。
【請求項９】
鍔状部と、前記鍔状部から突出し、上端面にオスコネクタが挿入される挿入口が設けられた筒状部とを有するハウジング部と、
前記挿入口を閉塞するように前記ハウジング部に固定された、弾性弁体とを備え、
前記筒状部は、前記上端面の裏面に設けられ下方に突出した上側凸部と、前記上側凸部と相対する位置に設けられ、上方に突出した下側凸部とを有し、
前記弾性弁体は、前記挿入口から露出しスリットが設けられた中央部と、前記中央部よりも外側に設けられた環状リブ部と、前記中央部と前記環状リブ部との間に設けられ、前記上側凸部と前記下側凸部との間に挟み込まれたと環状凹部とを有し、
前記筒状部の外径は、前記環状リブ部の上端と、前記下側凸部の上端から所定距離下側の位置との間において下側ほど大きく、
前記環状リブ部の外径は、前記環状リブ部の上端と、前記下側凸部の上端から所定距離下側の位置との間において下側ほど大きく、
前記所定距離は、前記上側凸部の下端と前記環状リブ部の上端との間の距離である、医療用コネクタ。
【請求項１０】
鍔状部と、前記鍔状部から突出し、上端面にオスコネクタが挿入される挿入口が設けられた筒状部とを有するハウジング部と、
前記挿入口を閉塞するように前記ハウジング部に固定された、弾性弁体とを備え、
前記筒状部は、前記上端面の裏面に設けられ下方に突出した上側凸部と、前記上側凸部と相対する位置に設けられ、上方に突出した下側凸部とを有し、
前記弾性弁体は、前記挿入口から露出しスリットが設けられた中央部と、前記中央部よりも外側に設けられた環状リブ部と、前記中央部と前記環状リブ部との間に設けられ、前記上側凸部と前記下側凸部との間に挟み込まれたと環状凹部とを有し、
前記環状リブ部の上端と下端との間において前記筒状部の外径は、下側ほど大きく、
前記環状リブ部の外径は、下側ほど大きい、医療用コネクタ。
【発明の詳細な説明】
【技術分野】
【０００１】
本開示は、医療用コネクタに関する。
【背景技術】
【０００２】
輸液や採血等を行う流体流路にコネクタを設けることにより、薬液の混注等をすることが可能になる。このような用途に用いる医療用コネクタとして、例えば、スプリットセプタムと呼ばれるディスク状の弾性弁体をハウジングの開口部に装着した構造のニードルレスコネクタが知られている（例えば、特許文献１等を参照。）。
【０００３】
オスコネクタの先端部を弾性弁体のスリットに直接挿入してスリットを押し開けることにより、オスコネクタを流体流路に接続することができる。また、接続したオスコネクタの先端部を弁体から抜き取ると、弾性弁体の復元作用により開口部を閉塞状態に戻すことができる。
【０００４】
しかしながら、特許文献１のような医療用コネクタは、オスコネクタを弾性弁体に押し込む際に、弾性弁体がハウジングから脱落してしまうおそれがある。そこで、出願人は弁の係止部を改良といった点で、改善を試みている（例えば、特許文献２を参照。）。しかし、さらなる改善が求められている。
【先行技術文献】
【特許文献】
【０００５】
【特許文献１】特開２００９―０１１８２０号公報
【特許文献２】特開２０１０−１４８７５７号公報
【発明の概要】
【発明が解決しようとする課題】
【０００６】
本開示の課題は、弾性弁体が脱落しにくい医療用コネクタを実現できるようにすることである。
【課題を解決するための手段】
【０００７】
医療用コネクタの第１の態様は、鍔状部と、鍔状部から突出し、上端面にオスコネクタが挿入される挿入口が設けられた筒状部とを有するハウジング部と、挿入口を閉塞するようにハウジング部に固定された、弾性弁体とを備え、筒状部は、上端面の裏面に設けられ下方に突出した上側凸部と、上側凸部と相対する位置に設けられ、上方に突出した下側凸部とを有し、弾性弁体は、挿入口から露出しスリットが設けられた中央部と、中央部よりも外側に設けられた環状リブ部と、中央部と環状リブ部との間に設けられ、上側凸部と下側凸部との間に挟み込まれたと環状凹部とを有し、筒状部の外径は、環状リブ部の上端と下側凸部の上端との間において下側ほど大きく、環状リブ部の外径は、環状リブ部の上端と下側凸部の上端との間において下側ほど大きい。
【０００８】
このような構成とすることにより、筒状部の強度を落とすことなく、弁体の外径を大きくすることができる。すなわち、筒状部の肉厚を確保しつつ、下側凸部周辺の環状リブ部の体積を大きくすることができる。これにより、下側凸部と上側凸部の間を環状リブ部が通過してしまう事態を減少させることができ、オスコネクタの挿入時における弾性弁体の脱落を生じにくくすることができる。
【０００９】
医療用コネクタの第１の態様において、筒状部は、上側に向かって次第に外径が小さくなるように縮径した第１の部分と、第１の部分よりも上側に設けられ、第１の部分よりも縮径率が小さい第２の部分とを有し、第１の部分と第２の部分との境界は、下側凸部の上端よりも上側に位置していてもよい。
【００１０】
このようにすれば、オスコネクタを挿入する際に第２の部分がカプラのガイドとなるため、オスコネクタが斜め方向から挿入された場合にも、オスコネクタを正しい方向に導くことができる。
【００１１】
医療用コネクタの第１の態様において、第２の部分の縮径率はゼロであってもよい。つまり、第２の部分は、外径が一定とすることができる。第２の部分の外径を一定とすることにより、第２の部分のガイドとしての機能をより高くすることができる。
【００１２】
医療用コネクタの第１の態様において、筒状部はねじ山を有し、ねじ山は筒状部の外側面に設けられていてもよい。ねじ山を設けることにより、筒状部を補強することもできる。
【００１３】
医療用コネクタの第１の態様において、ねじ山が設けられた部分の長さは３．０ｍｍ以上とすることができる。
【００１４】
医療用コネクタの第１の態様は、ＩＳＯ規格に準拠したカプラ付のルアーロックオスコネクタを挿入口に挿入した際に、カプラ付のルアーロックオスコネクタの挿入距離を４．２ｍｍ以下に制限する、挿入距離制限部を有していてもよい。挿入距離制限部を設けることにより、必要以上にオスコネクタが挿入されることを防ぐことができ、弾性弁体をより脱落しにくくすることができる。
【００１５】
医療用コネクタの第１の態様において、挿入距離制限部は、カプラ付きのルアーロックオスコネクタのカプラ端面と当接する鍔状部とすることができる。このような構成とすることにより、カプラ付のコネクタとカプラ無しのコネクタとで挿入距離を最適化できる。
【００１６】
医療用コネクタの第２の態様は、鍔状部と、鍔状部から突出し、上端面にオスコネクタが挿入される挿入口が設けられた筒状部とを有するハウジング部と、挿入口を閉塞するようにハウジング部に固定された、弾性弁体とを備え、筒状部は、上端面の裏面に設けられ下方に突出した上側凸部と、上側凸部と相対する位置に設けられ、上方に突出した下側凸部とを有し、弾性弁体は、挿入口から露出しスリットが設けられた中央部と、中央部よりも外側に設けられた環状リブ部と、中央部と環状リブ部との間に設けられ、上側凸部と下側凸部との間に挟み込まれたと環状凹部とを有し、筒状部の外径は、環状リブ部の上端と、下側凸部の上端から所定距離下側の位置との間において下側ほど大きく、環状リブ部の外径は、環状リブ部の上端と下側凸部の上端から所定距離下側の位置との間において下側ほど大きく、所定距離は、上側凸部の下端から下側凸部の上端までの距離である。
【００１７】
医療用コネクタの第３の態様は、鍔状部と、鍔状部から突出し、上端面にオスコネクタが挿入される挿入口が設けられた筒状部とを有するハウジング部と、挿入口を閉塞するようにハウジング部に固定された、弾性弁体とを備え、筒状部は、上端面の裏面に設けられ下方に突出した上側凸部と、上側凸部と相対する位置に設けられ、上方に突出した下側凸部とを有し、弾性弁体は、挿入口から露出しスリットが設けられた中央部と、中央部よりも外側に設けられた環状リブ部と、中央部と環状リブ部との間に設けられ、上側凸部と下側凸部との間に挟み込まれたと環状凹部とを有し、筒状部の外径は、環状リブ部の上端と、下側凸部の上端から所定距離下側の位置との間において下側ほど大きく、環状リブ部の外径は、環状リブ部の上端と、下側凸部の上端から所定距離下側の位置との間において下側ほど大きく、所定距離は、上側凸部の下端と環状リブ部の上端との間の距離である。
【００１８】
医療用コネクタの第４の態様は、医療用コネクタの第３の態様は、鍔状部と、鍔状部から突出し、上端面にオスコネクタが挿入される挿入口が設けられた筒状部とを有するハウジング部と、挿入口を閉塞するようにハウジング部に固定された、弾性弁体とを備え、筒状部は、上端面の裏面に設けられ下方に突出した上側凸部と、上側凸部と相対する位置に設けられ、上方に突出した下側凸部とを有し、弾性弁体は、挿入口から露出しスリットが設けられた中央部と、中央部よりも外側に設けられた環状リブ部と、中央部と環状リブ部との間に設けられ、上側凸部と下側凸部との間に挟み込まれた環状凹部とを有し、環状リブ部の上端と下端との間において筒状部の外径は、下側ほど大きく、環状リブ部の外径は、下側ほど大きい。
【発明の効果】
【００１９】
本開示の医療用コネクタによれば、弾性弁体が脱落しにくい医療用コネクタを実現できる。
【図面の簡単な説明】
【００２０】
【図１】一実施形態に係る医療用コネクタを示す斜視図である。
【図２】一実施形態に係る医療用コネクタを示す断面図である。
【図３】一実施形態に係る医療用コネクタの筒状部の上部を拡大して示す断面図である。
【図４】一実施形態に係る医療用コネクタにオスコネクタを挿入した状態を示す断面図である。
【発明を実施するための形態】
【００２１】
本実施形態の医療用コネクタを使用する際の向きは限定されないが、以下においては、オスコネクタが挿入される挿入口を上にして配置された状態について説明する。
【００２２】
図１及び図２に示すように、本実施形態の医療用コネクタ１００は、シリンジ等の標準的なオスルアーコネクタを挿入することができる混注プラグである。具体的に、オスコネクタが挿入される挿入口１１１を有するハウジング部１０１と、挿入口１１１を閉塞するようにハウジング部１０１に固定された弾性弁体１０２とを有している。
【００２３】
本実施形態において、ハウジング部１０１の上部１０１Ａは、オスコネクタが挿入されるメスコネクタであり、鍔状部１３２と、鍔状部１３２から上方に突出し、上端面１３４に挿入口１１１が設けられた筒状部１３１とを有する。ハウジング部１０１の上部１０１Ａは、外筒部材１５１と、外筒部材１５１の内側に設けられた内筒部材１５２とにより形成されている。ハウジング部１０１の下部１０１Ｂは、外筒部材１５１及び内筒部材１５２の下端部と接続された下側部材１５３により形成されている。下部１０１Ｂは、流体流路に接続できる構成であればよく、例えばオスコネクタとすることができる。
【００２４】
筒状部１３１の上端面１３４の裏面には、下側に突出する上側凸部１４１が設けられている。内筒部材１５２の上端部は、上側凸部１４１と相対する位置にあり、上側に突出した下側凸部１４２となっている。
【００２５】
弾性弁体１０２は、挿入口１１１から露出しスリット１２１ａが設けられた中央部１２１と、中央部１２１よりも外側に設けられた環状リブ部１２３と、中央部１２１と環状リブ部１２３との間に設けられた環状凹部１２４とを有している。環状リブ部１２３は、外筒部材１５１と内筒部材１５２との間に形成された空洞部に挿入され、環状凹部１２４は、上側凸部１４１と下側凸部１４２との間に挟み込まれている。本実施形態において、弾性弁体１０２は、環状リブ部１２３の上端が中央部１２１の上面よりも低い位置にあり、下端が中央部１２１の下面よりも下側に大きく突出し、袴状部１２５となっている。但し、袴状部１２５が設けられていない構成とすることもできる。その場合のハウジング形状としては、例えば、特開２００９―０１１８２０号公報に記載のようにすることができる。
【００２６】
本実施形態の医療用コネクタ１００は、カプラ付のルアーロックオスコネクタを挿入できるように、筒状部１３１の外周には、オスコネクタのカプラと係合するねじ山１３７が設けられている。以下において、筒状部１３１の外径について説明するが、その場合の外径は、ねじ山１３７を除いた部分の外径である。
【００２７】
図３は、筒状部１３１の上部を拡大して示している。本実施形態において、弾性弁体１０２は、環状リブ部１２３が外筒部材１５１と内筒部材１５２との間の空洞部に挿入され、環状凹部１２４が上側凸部１４１と下側凸部１４２とに挟み込まれることにより、ハウジング部１０１に固定されている。オスコネクタが挿入口１１１に挿入されると、オスコネクタは弾性弁体１０２の中央部１２１を押し広げ且つ押し下げる。この際に、環状リブ部１２３に対しても下側凸部１４２を支点として下方に引っ張る力が働く。環状リブ部１２３を下方に引っ張る力が限界を超え、環状リブ部１２３の上端部が上側凸部１４１と下側凸部１４２との間の狭小部を通過してしまうと、弾性弁体１０２は脱落する。このため、オスコネクタを挿入する際における弾性弁体１０２の脱落を生じにくくするためには、環状リブ部１２３の体積をできるだけ大きくすることが好ましく、特に、下側凸部１４２周辺の環状リブ部１２３の体積をできるだけ大きくすることが好ましい。
【００２８】
下側凸部１４２周辺の環状リブ部１２３の体積は、筒状部１３１の外径、挿入口１１１の直径、及び下側凸部１４２の上下方向の位置等のパラメータによって決まる。これらのパラメータの上限及び下限は挿入するオスコネクタの大きさにより大きく制限され、設計の自由度はほとんど存在しない。また、外筒部材１５１の肉厚を薄くした方が体積を大きくできるが、外筒部材１５１の肉厚は強度の点から制限を受け、例えば、外筒部材１５１の肉厚の下限は、材質にもよるが０．１５ｍｍ程度である。
【００２９】
さらに、筒状部１３１の外径は、操作性の観点からも制限を受ける。環状リブ部１２３の体積を大きくするためには、筒状部１３１の外径は上限値に近い方が好ましいが、挿入されるオスコネクタのカプラと、筒状部１３１との係合を容易にするためには、筒状部１３１の少なくとも上端部の外径は下限にできるだけ近くすることが好ましい。一方、筒状部１３１の下端部の外径は、挿入されるオスコネクタのカプラを緩みにくくするという観点からも上限にできるだけ近くすることが好ましい。
【００３０】
ＩＳＯ（５９４−２）に規定されるオスコネクタのカプラのねじ山の径の中心値は７．０ｍｍであり、これに対応できるメスコネクタの外径の上限値は約６．９ｍｍとなる。一方、メスコネクタの外径の下限値の規格は６．６３ｍｍである。従って、ＩＳＯに準拠したコネクタとする場合には、筒状部１３１の下端部の外径は６．９ｍｍ程度とし、上端部の外径は６．６ｍｍ程度とすることが好ましい。
【００３１】
このため、筒状部１３１の外径は下端部において大きくし、上端部において小さくすることが好ましい。環状リブ部１２３における下側凸部１４２周辺の環状リブ部１２３の体積を大きくするという観点からは、筒状部１３１の外径が小さい部分はできるだけ上方にあることが好ましく、下側凸部１４２の上端よりも上側に位置していることが好ましい。
【００３２】
本実施形態において筒状部１３１は、鍔状部１３２から上方に向かって縮径し、外径が次第に小さくなる第１の部分１６１と、第１の部分１６１よりも上側に設けられ、外径が一定で且つ第１の部分１６１の上端と等しい第２の部分１６２とを有している。第１の部分１６１と第２の部分１６２との境界は、下側凸部１４２の上端よりも上側に位置している。筒状部１３１の外径が最小である部分の下端は第２の部分１６２の下端となる。このため、筒状部１３１の外径が最小である部分は、下側凸部１４２の上端よりも下側には位置しておらず、下側凸部１４２の上端よりも上側に位置している。また、筒状部１３１の外径及び環状リブ部１２３の外径は、環状リブ部１２３の上端と下側凸部１４２の上端との間において下側ほど大きくなっている。
【００３３】
このような構成とすると、外筒部材１５１の肉厚が同じである場合、第２の部分１６２の長さが長く、第１の部分１６１と第２の部分１６２との境界が下側凸部１４２の上端よりも下側に位置している場合と比べて、下側凸部１４２周辺の環状リブ部１２３の体積を大きくすることができる。ＩＳＯ（５９４−２）に準拠した標準的なカプラ付のルアーロックオスコネクタが挿入できる構成であり、筒状部１３１の上端部の外径が６．９ｍｍ場合、第２の部分１６２をできるだけ短くして、第１の部分１６１と第２の部分１６２との境界が下側凸部１４２の上端よりも上側に位置するようにすることにより、下側凸部の上端よりも１ｍｍ下側に位置している場合よりも、下側凸部１４２周辺の環状リブ部の体積を最大で３０％程度大きくすることができる。
【００３４】
本実施形態においては第２の部分１６２の外径を一定としたが、第２の部分１６２においても縮径し、上端に向かって外径が次第に小さくなる構成とすることもできる。この場合、第２の部分１６２における外径の縮径率は、第１の部分１６１における外径の縮径率よりも小さい方が好ましい。第２の部分１６２を縮径させた場合、筒状部１３１の外径が最小である部分は筒状部１３１の上端となる。
【００３５】
図３においては、第１の部分１６１の縮径率が一定であり、第１の部分１６１と第２の部分１６２との間に明確な境界が認められる例を示した。しかし、第１の部分１６１の縮径率が第２の部分１６２との境界付近において次第に小さくなり、第１の部分１６１から第２の部分１６２に滑らかに移行する構成とすることもできる。この場合においても、第２の部分１６２の外径が次第に小さくなる構成とすることができる。
【００３６】
また、第１の部分１６１と第２の部分１６２とが分離されておらず、筒状部１３１の下端から上端まで、次第に外径が小さくなる構成とすることもできる。この場合、筒状部１３１の外径が最小の部分は筒状部１３１の上端となる。筒状部１３１の縮径率は下端から上端まで一定とすることができる。また、縮径率が次第に小さくなるように変化する構成とすることもできる。但し、第１の部分１６１よりも縮径率が小さい第２の部分１６２を設けることにより、オスコネクタが垂直方向に挿入しやすくなるという利点が得られる。例えば、第２の部分１６２の縮径率を第１の部分１６１よりも小さくし、第２の部分１６２の側面の傾斜を第１の部分１６１よりも垂直に近くにすることにより、オスコネクタが斜め方向から挿入された場合にも、カプラの内面が第２の部分１６２の外面によりガイドされるため、垂直方向に挿入しやすくなる。カプラをガイドする効果を大きくする観点からは、第２の部分１６２の外径を一定とし、第２の部分１６２の側面の傾斜を垂直にすることが好ましい。
【００３７】
いずれの構成においても、筒状部１３１の外径が最小である部分は、下側凸部１４２の上端よりも下側には存在していない。筒状部１３１の外径が最小である部分の最下端が下側凸部１４２の上端よりも上側に位置していることにより、外筒部材１５１の肉厚を確保しつつ、下側凸部１４２周辺の環状リブ部１２３の体積を大きくすることができる。成形のし易さの観点からは、縮径率が一定の第１の部分１６１の上に、第１の部分１６１の上端と外径が等しく且つ外径が一定である第２の部分１６２が設けられており、第１の部分１６１と第２の部分１６２との境界が下側凸部１４２の上端よりも上側に位置している構成が好ましい。
【００３８】
本実施形態においては、筒状部１３１の外径が最小である部分が、下側凸部１４２の上端よりも上側に位置している例を示したが、筒状部１３１の外径及び環状リブ部１２３の外径は、環状リブ部１２３の上端と下側凸部１４２の上端との間において下側ほど大きくなっていれば、環状リブ部１２３の下側凸部１４２周辺の体積を上側凸部１４１周辺の体積よりも大きくできる。また、環状リブ部１２３の上端と下端との間において筒状部１３１の外径が下側ほど大きく、環状リブ部１２３の外径が下側ほど大きくなるようにすれば、下側凸部１４２周辺の環状リブ部１２３の体積を大きくする効果が得られる。
【００３９】
なお、下側ほど大きくなっているとは、上側から下側に均一な拡径率で大きくなっている場合だけでなく、拡径率が途中で変化する場合も含まれる。また、拡径率が０となった部分が存在しているような構成とすることもできる。さらに、段差ができているような構成とすることもできる。
【００４０】
さらに、筒状部１３１の外径が最小である部分が、下側凸部１４２の上端よりも若干下側の位置よりも上側に位置するようにできる。このようにすれば、下側凸部１４２周辺の環状リブ部１２３の体積を大きくできる。具体的には、筒状部１３１の外径が最小である部分が中央部１２１の下面よりも上側に位置しているようにすることができる。また、筒状部１３１の外径が最小である部分が下側凸部１４２の上端から所定距離だけ下側の位置よりも上側に位置しているようにすることもできる。この場合の所定距離は、上側凸部１４１の下端と環状リブ部１２３の上端との間の距離となる。また、所定距離を、上側凸部１４１の下端から下側凸部１４２の上端までの距離とすることもできる。但し、筒状部１３１の外径が最小である部分の最下端が下側凸部１４２の上端よりも上側に位置していることにより、下側凸部１４２周辺の環状リブ部１２３の体積をより大きくできる。なお、筒状部１３１の外径が最小である部分が下側凸部１４２の上端から所定距離だけ下側の位置よりも上側に位置している場合には、筒状部１３１の外径及び環状リブ部１２３の外径は、環状リブ部１２３の上端と下側凸部１４２の上端から所定距離だけ下側の位置との間において下側ほど大きくなる。
【００４１】
好適には、下側凸部１４２周辺における環状リブ部１２３の最大肉厚を、上側凸部１４１周辺における環状凸部１２３の最大肉厚よりも厚くし、環状リブ部１２３の下側凸部１４２周辺の体積を上側凸部１４１周辺の体積よりも大きくすればよい。なお、環状リブ部１２３の最大肉厚とは、弾性弁体１０２の径方向における環状リブ部１２３の肉厚の最大値である。
【００４２】
本実施形態において、外筒部材１５１と内筒部材１５２との間には、ハウジング部１０１の下部１０１Ｂに達する空洞が設けられており、環状リブ部１２３は、この空洞を埋めるように袴状に下方に拡がっている。環状リブ部１２３における下側凸部１４２よりも下方の部分についても、体積を大きくすることにより、オスコネクタの挿入及び引き抜きによる弾性弁体１０２の脱落を生じにくくする効果が得られる。但し、環状リブ部１２３における下側凸部１４２よりも下側の部分が袴状に拡がっていない構成とすることもできる。
【００４３】
本実施形態においては、筒状部１３１の上端部から下端部まで、連続してらせん状にねじ山１３７を設けている。外筒部材１５１のねじ山１３７が設けられている部分は、ねじ山１３７が設けられていない部分よりも肉厚が厚くなる。このため、ねじ山１３７により外筒部材１５１を補強することができ、ねじ山１３７が設けられていない場合よりも外筒部材１５１の肉厚を薄く設計することができる。ねじ山１３７を筒状部の上端部から下端部まで連続して設けた方が、補強効果を大きくすることができる。但し、ねじ山１３７は連続的に設けられていなくてもよい。
【００４４】
筒状部１３１におけるねじ山１３７が設けられている部分の長さは、ＩＳＯに準拠した標準的なカプラ付のルアーロックコネクタの場合、確実にロックされるようにする観点から３．０ｍｍ以上であることが好ましい。また、ねじ山１３７は、筒状部１３１のできるだけ上部から設けることが好ましく、上端から設けることがより好ましい。カプラとねじ山１３７とを同じ長さだけ係合させる場合、ねじ山１３７を筒状部のできるだけ上端に近い部分から設けた方が、オスコネクタが挿入される位置を浅くすることができる。これにより、弾性弁体１０２を押し下げる力を小さくし、弾性弁体１０２をより脱落しにくくすることができる。
【００４５】
本実施形態の医療用コネクタは、弾性弁体１０２をより脱落しにくくする観点から、オスコネクタの挿入距離を制限する挿入距離制限部を有している構成とすることもできる。挿入距離制限部を設けて、オスコネクタが必要以上に深くまで挿入されることを防ぐことにより、弾性弁体１０２にかかる負荷を小さくして脱落しにくくすることができる。オスコネクタがＩＳＯに準拠した標準的なカプラ付のオスルアーロックコネクタである場合、弾性弁体１０２の脱落を防止する観点から挿入距離は４．２ｍｍ以下に制限することが好ましい。また、オスコネクタの抜け落ちを防止する観点から挿入距離は３．０ｍｍ程度以上とすることが好ましく、３．５ｍｍ程度以上とすることがより好ましい。
【００４６】
挿入距離制限部１７１は、オスコネクタ２０１の挿入距離を制限できればどのような構成としてもよいが、例えば図４に示すように、鍔状部１３２とオスコネクタ２０１のカプラ２０２の端面とにより形成することができる。鍔状部１３２とカプラ２０２の端面とが当接することにより、オスコネクタ２０１の挿入が制限される。オスコネクタ２０１の先端が、ハウジング部１０１内の部材と当接する構成の挿入距離制限部の場合、カプラが無いコネクタの挿入距離もカプラ付のコネクタと同じに制限される。しかし、カプラが無いコネクタの場合、カプラ付のコネクタよりも抜けやすいため、カプラ付のコネクタよりも挿入距離を長くすることが好ましい。このため、挿入距離はカプラが無いコネクタに合わせて設定されることになる。
【００４７】
図４に示す構成の場合、カプラ２０２付のコネクタの挿入距離は、挿入距離制限部１７１により制限されるが、カプラ２０２が無いコネクタの場合には、コネクタの先端が下側部材１５３により形成された段差に当接するまで挿入できる。このため、オスコネクタの種類に応じて的確に挿入距離を制限することができる。挿入距離制限部は、カプラとの関係により挿入距離を制限できればよい。例えば、ねじ山１３７の位置及び形状等によりオスコネクタの挿入距離を制限する構成とすることもできる。
【００４８】
ハウジング部１０１は、弾性弁体１０２を確実に保持する観点から、例えばポリプロピレン、ポリエチレン、ポリカーボネート、ポリスチレン、又はポリアセタール等の熱可塑性樹脂を用いて形成することができる。ハウジング部１０１の外筒部材１５１、内筒部材１５２及び下側部材１５３の材質は、同じであっても異なっていてもよい。
【００４９】
ハウジング部１０１の下側部材１５３は、例えば、オスコネクタとすることができる。これに限らず流体流路に接続するどのような構成とすることもできる。例えば、下側部材１５３を活栓としたり、輸液管としたりすることもできる。
【００５０】
弾性弁体１０２は、弾性を有する材料により形成することができる。例えば、気密性や再封止性の観点から、イソプレンゴム若しくはシリコーンゴム等の合成ゴム、天然ゴム、又は熱可塑性エラストマー等の材料を用いることができる。成形には、プレス成形又はモールド成形等を用いることができる。スリット１２１ａは、例えば直線形状、Ｙ字形状又は十字形状とすることができる。スリット１２１ａは、成形された弾性弁体１０２の厚さ方向に鋭利な刃を貫通させる等して形成することができる。本実施形態において、弾性弁体１０２の中央部１２１が平面となっている例を示したが、弾性弁体１０２の中央部１２１は曲面となっていてもよい。
【００５１】
本実施形態において、挿入されるオスコネクタが、標準的なオスルアーコネクタである例を示したが、他のコネクタを挿入する構成とすることもできる。この場合、各部材のサイズ等は、挿入されるオスコネクタに応じて変更することができる。
【産業上の利用可能性】
【００５２】
本開示の医療用コネクタは、弾性弁体が脱落しにくく、医療用コネクタ等として有用である。
【符号の説明】
【００５３】
１００      医療用コネクタ
１０１      ハウジング部
１０１Ａ    上部
１０１Ｂ    下部
１０２      弾性弁体
１１１      挿入口
１２１      中央部
１２１ａ    スリット
１２３      環状リブ部
１２４      環状凹部
１２５      袴状部
１３１      筒状部
１３２      鍔状部
１３４      上端面
１３７      ねじ山
１４１      上側凸部
１４２      下側凸部
１５１      外筒部材
１５２      内筒部材
１５３      下側部材
１６１      第１の部分
１６２      第２の部分
１７１      挿入距離制限部
２０１      オスコネクタ
２０２      カプラ
【図１】
2017051566.tif 000003
【図２】
2017051566.tif 000004
【図３】
2017051566.tif 000005
【図４】
2017051566.tif 000006